(57)【要約】【課題】外部から目立たない簡易な操作部を設けて、ヘッド部をベース部に対して回動調整できるセキュリティーセンサを提供する。【解決手段】天井面や壁面などに固定的に取付けられるベース部に、感知部を内蔵したヘッド部を着脱可能に取り付けて使用するセキュリティーセンサにおいて、上記ベース部は天井面や壁面に固着される取付ベースと、上記取付ベースには、回動調整手段によって回動可能に結合される一方、上記ヘッド部とは回動不能に結合される回転ベースとを組み合わせて成り、上記回動調整手段は、その操作部を上記取付ベースより露見させ、かつ該取付ベースに移動可能に取付けられてロック方向に弾性付勢された可動爪と、上記回転ベースに対応して形成され、上記可動爪を係脱させるためのロック溝とを組み合わせて構成され、上記操作部をロック解除方向に押圧操作保持したときにのみ、上記可動爪と上記ロック溝との係合を解除させて、上記ヘッド部の上記ベース部に対する回動を許容させる構造としている。【選択図】図１
2005157681.tif 000002
【特許請求の範囲】
【請求項１】
天井面や壁面などに固定的に取付けられるベース部に、感知部を内蔵したヘッド部を着脱可能に取り付けて使用するセキュリティーセンサにおいて、
上記ベース部は、
天井面や壁面に固着される取付ベースと、
上記取付ベースには、回動調整手段によって回動可能に結合される一方、上記ヘッド部とは回動不能に結合される回転ベースとを組み合わせて成り、
上記回動調整手段は、操作部を上記取付ベース側より露見させ、かつ該取付ベースに移動可能に取付けられてロック方向に弾性付勢された可動爪と、上記回転ベースに可動爪に対応して形成され、上記可動爪を係脱させるためのロック溝とを組み合わせた構成とされ、上記操作部をロック解除方向に押操作したときにのみ、上記可動爪と上記ロック溝との係合を解除させて、上記ヘッド部の上記ベース部に対する回動を許容させる構造としたセキュリティーセンサ。
【請求項２】
請求項１において、
上記可動爪の操作部を、上記ベース部の外周側面に露見させている、セキュリティーセンサ。
【請求項３】
請求項１において、
上記可動爪の操作部を、上記ベース部の取付面側に露見させている、セキュリティーセンサ。
【請求項４】
請求項１〜３のいずれかにおいて、
上記可動爪は、スライド操作によって、ロック位置とロック解除位置との間を往復移動させる構造にしている、セキュリティーセンサ。
【請求項５】
請求項１〜４のいずれかにおいて、
上記可動爪は、ロック解除位置まで移動したときに、上記取付ベースに形成した成形バネを弾性変形させて、操作時のクリック感を得るようにしている、セキュリティーセンサ。
【発明の詳細な説明】
【技術分野】
【０００１】
本発明は、天井面や壁面などに取付けられるベース部に、感知部を内蔵したヘッド部を着脱可能に取り付けて使用するセキュリティーセンサに関するものである。
【背景技術】
【０００２】
この種のセキュリティーセンサは、防犯センサを例に採ると、図１２に示すように、ベース部１０１にヘッド部１０２を取り付ける構造としており、ヘッド部１０２に設けられたネジ挿入穴１０２ａに取付けネジ１０３を挿入し、この取付けネジ１０３をベース部１０１に設けられた雌ネジ穴にドライバーで螺入し締め付けることでヘッド部１０２をベース部１０１に取り付けることが出来、ネジ１０３を緩めて、レバー１０４を操作すれば、ヘッド部１０２をベース部１０１に対して回動させることが出来、また取付けネジ１０３を更に緩めれば、ヘッド部１０２をベース部１０１から取り外し出来る構造になっている。
ところで、このような従来の防犯センサは、ヘッド部１０２に内蔵した検知素子の感知できる検知ビームの範囲によって監視エリア（検知エリア）が特定されるため、検知ビームの範囲が目的とする監視エリアからずれてしまうと、ヘッド部１０２をベース部１０１に対して回動させて調整する必要があるが、上記のような構造のものでは、取付けネジ１０３を緩めてから、レバー１０４を操作する必要があるため、その調整操作が面倒になっている。また、レバー１０４は外観上目立つため、悪戯されやすく、防犯上も問題になっている。
【０００３】
そこで、このような事情を考慮して、ヘッド部をベース部に取り付けた状態で検知ビームの範囲調整が簡単に行えるようにした先行技術が、下記特許文献に提案されている。
すなわち、図１３、図１４に示したセキュリティーセンサは、下記特許文献において提案された基本構造を示すものであり、天井面などに取り付けられるカバー体２００に、検知素子（焦電素子）２０１を収納し、レンズ部２０２を設けた収納部２０３の鍔部２０４を挟持する支持部２０５を設けて、この支持部２０５によって、検知素子２０１を収納した収納部２０３を回動可能に支持した構造になっている。なお、２０６は、収納部２０３の鍔部２０４を当接させるストッパーであり、これによって、収納部２０３の不用意な回動を規制している。
しかしながら、このような構造によれば、カバー体２００の支持部２０５に収納部２０３の鍔部２０４を嵌め込んで取り付けているだけなので、外部の者でも悪戯等で収納部２０３を回動させることが可能となり、正しく調整した検知ビームの範囲が不用意に変更されてしまうおそれがあった。
【特許文献１】特開平１１−４４５７６号公報
【発明の開示】
【発明が解決しようとする課題】
【０００４】
本発明は、上記した従来の問題に鑑みてなされたものであって、ヘッド部をベース部に取り付けた状態でも、ベース部の目立たない箇所に設けた操作部を操作保持している間だけ、ヘッド部の回動を許容して、回動調整の出来る新規な構成のセキュリティーセンサを提供することを目的とするものである。
【課題を解決するための手段】
【０００５】
したがって、本発明は、上記課題を解決するために提案され、請求項１に記載の発明は、天井面や壁面などに固定的に取付けられるベース部に、感知部を内蔵したヘッド部を着脱可能に取り付けて使用するセキュリティーセンサにおいて、上記ベース部は天井面や壁面に固着される取付ベースと、上記取付ベースとは、回動調整手段によって回動可能に結合される一方、上記ヘッド部とは回動不能に結合される回転ベースとを組み合わせて成り、上記回動調整手段は、その操作部を上記取付ベースより露見させ、かつ該取付ベースに移動可能に取付けられてロック方向に弾性付勢された可動爪と、上記回転ベースに対応して形成され、上記可動爪を係脱させるためのロック溝とを組み合わせて構成され、上記操作部をロック解除方向に押操作したときにのみ、上記可動爪と上記ロック溝との係合を解除させて、上記ヘッド部の上記ベース部に対する回動調節を許容させる構造としたものである。
【０００６】
また、請求項２に記載の本発明は、請求項１において、上記可動爪の操作部を、上記ベース部の外周側面に露見させた構造にしており、請求項３に記載の本発明は、上記可動爪の操作部を、上記ベース部の取付面側に露見させた構造にしている。
更に、請求項４に記載の本発明は、請求項１〜３のいずれかにおいて、上記可動爪は、スライド操作によって、ロック位置とロック解除位置との間を往復移動させる構造にしており、請求項５に記載の本発明は、請求項１〜４のいずれかにおいて、上記可動爪は、ロック解除位置まで移動したときに、成形バネを弾性変形させて、操作時のクリック感を得るようにしている。
【０００７】
以上のような構造的特徴を有した本発明のセキュリティーセンサは、焦電素子を感知部に備えた人体検知センサの他、超音波、光の感知部や、監視カメラなどのような方向性を要する各種のセンサに適用できる。
【発明の効果】
【０００８】
請求項１〜５に記載の本発明によれば、操作部をロック解除方向に操作保持したときにだけヘッド部を取付ベース部に対して回動できるので、セキュリティーセンサを取付け後にも、回動調整ができる。
また、請求項２に記載の本発明では、可動爪の操作部は、ベース部の外周側面に露見させているので、外観上も目立たず、悪戯、防犯対策上も有益であり、請求項３に記載の本発明では、可動爪の操作部をベース部の取付面側に露見させているので、ベース部にヘッド部を取付けた、天井面などに取付けない状態でもベース部に対してヘッド部を回動調整させることが出来る。
さらに、請求項４に記載の本発明では、可動爪をスライド操作するだけでロック位置とロック解除位置に移動させることが出来、請求項５に記載の本発明では、可動爪を操作してロック解除位置まで操作したときに、成形バネの弾性変形によって、クリック感が得られる。
【発明を実施するための最良の形態】
【０００９】
以下、本発明に係るセキュリティーセンサの実施形態を、図を参照しつつ説明する。
図１（ａ）〜（ｃ）は、本発明のセキュリティーセンサＡの要部をなす回動調整手段３０の各要素を示している。
ここに、図１（ａ）は後述する取付ベース２５側に設けた可動爪３１の構造を示し、（ｂ）は後述する回転ベース２６側に設けたロック溝３４を示しており、（ｃ）は取付ベース２５側に設けた可動爪３１を、取付ベース２５側に設けたロック溝３４に嵌入させて回転ベース２６を取付ベース２５に回動不能にロックさせた状態を示している。
また、図２（ａ）は、可動爪３１を、取付ベース２５側に設けたロック溝３４に嵌入させてロックさせた状態を示す縦断面構造図、図２（ｂ）は、操作部を押圧操作することによって、可動爪３１を、取付ベース２５側に設けたロック溝３４から抜き出してロックを解除した状態を示す縦断面構造図である。
さらに、図３、図４は、ベース部１を構成する取付ベース２５と、回転ベース２６とを示している。
【００１０】
以下では、これらの図を参照しながら、本発明のセキュリティーセンサＡについて、更に詳細に説明する。
ベース部１は、取付ベース２５と回転ベース２６とを組み合わせて構成されており、回転ベース２６は、後述するヘッド部２に回動不能に結合され、取付ベース２５はビスなどで天井面などに取付けられる。
回転ベース２６は、回動調整手段３０によって取付ベース２５に対する回動調節が許容、あるは禁止されるようになっている。
ここに、回動調整手段３０は、取付ベース２５に設けられた、係止突起３１ｂを形成し、ロック方向にバネ３３で弾性付勢された可動爪３１と、この可動爪３１の係止突起３１ｂを係脱させるために、回転ベース２６の内周面に形成されたロック溝３４とを組み合わせて構成されている。
ここに、可動爪３１は中央を開口３１ａさせた略四方形に形成され、後述する操作部３１ｃ、３１ｄと、係止突起３１ｂとを突設しており、軸部３５に巻設されたバネ３３の弾性力によって係止突起３１ｂが常時はロック溝３１に嵌入するように付勢されている。
このような構造によれば、可動爪３１を操作しないときには、バネ３３の弾性力によって、可動爪３１の係止突起３１ｂが回転ベース２６のロック溝３４のいずれかに嵌入されるので、回転ベース２５は取付ベース２６に対して回転不能なロック状態となり、可動爪３１を操作して、可動爪３１をロック溝３４から抜け出した状態に保持した場合には、回転ベース２５は、取付ベース２６に対して回動が可能となるので、回転ベース２５に取付けたヘッド部２を回動させて調整が出来る。
【００１１】
図３、図４は、取付ベース、回転ベースのそれぞれの構造を示す分解斜視図である。
図３では、取付ベース２５と回転ベース２６との位置関係が示されており、取付ベース２５は、取付面側ではない内面側が示され、回転ベース２６は取付ベース側の裏面が示されている。また、図４（ａ），（ｂ）では、取付ベース２５は内面側と、取付面側が示されている。
これらの図を参照して、取付ベース２５と回転ベース２６とを説明すると、取付ベース２５は、天井面などから信号線（不図示）を導入するための入線孔２５ａを中央に設け、その周囲には一組のネジ取付孔２７，２７と、回転ベース２６に形成した中央開口２６ａに嵌入される一組のガイド突片１８，１８を形成しており、回転ベース２６側に形成した切起こし突部４２を当接させることによって回動調節時にクリック感を出す凹凸部４１が小円弧状に形成されている。この切起こし突部４２と凹凸部４１とで得られるクリック感は、後述する目盛３５の１刻みの操作と連動させれば、ヘッド部２がベース部１に対して、１刻分移動するごとにクリック感が得られ、回動操作時の操作量がクリック感となって確認できる。
なお、４３は、可動爪３１がロック溝３４との係止を解除するロック解除位置まで移動したときに、可動爪３１側に設けた突部（不図示）を接触させることでクリック感を得るために形成した成形バネを示している。
【００１２】
これに対して、回転ベース２６は、中央を開口２６ａさせた円板形状の本体で構成され、可動爪３１に対応した箇所には前述したロック溝３４を形成し、かつ上記した凹凸部４１と対応する箇所には切起こし突部４２を形成している。
また、回転ベース２６の上面には、取付ベース２５の入線孔２５ａから導入した信号線と、ヘッド部２から導入された信号線とを接続するための端子ブロック３０を搭載している。
さらに、取付ベース２５の外周縁には、複数の目盛３５が刻設され、ヘッド部２の外周縁には指標３６を対応して刻設することによって、ヘッド部２のベース部１に対する回動調節量が視認できるようになっている。
更に、可動爪３１には、２つの操作部３１ｃ、３１ｄを形成しており、そのうちの一つ３１ｃは、取付ベース２５の外周側面に設けた孔部３２より露見させ、他の一つ３１ｄは取付面に形成した孔部２８より露見させている。従って、可動爪３１は、取付ベース２５の外周側面から露見させた操作部３１ｃを操作保持することによって、ヘッド部２を回動調整できるので、天井面に取付けたベース部１にヘッド部２を取付けて施工が終了した状態でも、ヘッド部２を回動調整することができ、また、ベース部１にヘッド部２を取り付けて、ベース部１を天井面に取付けない状態でも、ベース部１の取付面から操作部３１ｄを操作して、ヘッド部２を回動調整することができる。
なお、このような可動爪３１の操作部３１ｃ、３１ｄを露見させる場合には、孔部３２、２８より操作部３１ｃ、３１ｄを突出させないようにすれば、外観上も目立たず、悪戯対策、防犯対策上もより有益である。
【００１３】
また、以上の実施例では、可動爪３１に、操作部３１ｃ、３１ｄを設けた構造にしているが、ベース部１の正面側より吊り下げた引き紐を接続し、引き紐を操作して、ロックを解除する構造にしてもよく、この場合、引き紐を引き保持したときのみ、ロックは解除され、回動操作が可能となる（不図示）。
更にまた、可動爪３１を、ロック解除位置まで移動したときに、成形バネ４３に代えて、反転バネを弾性変形させる構造にしてもよく、ロック解除時に感触を得ることができる。
次いで、本発明のセキュリティーセンサの他の部分の構造について説明する。
図５は、ベース部１とヘッド部２との着脱手段を示しており、その（ａ）はそのロック状態を示す部分断面図、その（ｂ）はロック解除状態を示す部分断面図、図６は着脱手段の要部をなす可動爪機構１０を示す部分斜視図である。
このセキュリティーセンサＡでは、ベース部１内の外周近傍箇所に可動爪機構１０が設けられ、ヘッド部２には固定爪２ａと、ヘッド部２に穿設されたれた貫通孔２１と、この貫通孔２１内に上下移動可能に嵌め入れられたリリースボタン２２からなる可動爪操作手段２０とが設けられている。
可動爪機構１０は、図６に示すように、回動可能な支持軸１３から上向き三方に向けて設けられた係止爪１１と受止片１２と持上片１４を設けた構造とされている。また、ヘッド部２には持上片１４に対応した受止部２ｂが設けられている。ベース部２の支持軸１３はスプリング１５からなる弾性体で固定爪２ａに係止片１１が係止される方向に弾性付勢されている。
そして、図５（ａ）に示すように、ロック状態ではベース部１の係止片１１にヘッド部２の固定爪２ａが係止されて、ベース部１からヘッド部２が外れない構造となっている。また、ロック解除状態では、図５（ｂ）に示すように、ヘッド部２の貫通孔２１内のリリースボタン２２が外側から押え付けられると、リリースボタン２２の先端で受止片１２が押し下げられ、これにより、支持軸１３が時計方向に回動して係止爪１１とヘッド部２の固定爪２ａとの係止状態が解除されるようになっている。そして、これと同時に、持上片１４の上向きの回動によって、この持上片１４がヘッド部２の受止部２ｂを持ち上げて、ヘッド部２とベース部１との間に隙間Ｓが生じる程度に分離される。
【００１４】
図７はセキュリティーセンサの縦断面図である。
ヘッド部２の内側部分には、ドーム２４が設けられ、その内部に赤外線を受光する人体検知センサからなる感知部３が配置されている。尚、この感知部３は人体検知センサだけでなく、煙感知器、熱感知器、ガス漏れ警報器の他、超音波センサ、光センサ、監視カメラなどで置き換わってもよい。
また、前記した可動爪機構１０の反対側には、固定爪機構１６が設けられ、ベース部１に爪係止孔１７が穿設され、ヘッド部２にこの爪係止孔１７に係入係止される係止爪２ｃが突設されている。
【００１５】
図８はセキュリティーセンサの外観と分解状態を示す斜視図である。
この図に示すように、センサＡは、ヘッド部２が下向きになるようにして天井等に取り付けられ、ベース部１にヘッド部２を取り付ける構造とされている。
そして、ヘッド部２の外周近傍箇所に、前記した貫通孔２１が設けられ、ベース部１の外周面には前述した回動調整手段３０の操作部３１ｃが露見している。また、ベース部１には端子ブロック３０が設けられている。
図９はセキュリティーセンサの内部構造を示す分解斜視図である。
ベース部１とヘッド部２とを分解した状態では、この図に示すように、ベース部１側に可動爪機構１０と爪係止孔１７と一組のガイド１８、１８と、端子ブロック３０が設けられている。また、ヘッド部２側には固定爪２ａと係止爪２ｃとが突出形成されている。
図１０はセキュリティーセンサのベース部を示す平面図である。
ベース部１は、この図に示すように、取付ベース２５と回転ベース２６とを組み合わせて構成されており、取付ベース２５には、一組の取付孔２７、２７が穿設されている。
図１１はセキュリティーセンサの外観を示し、（ａ）はそのベース部１にヘッド部２を取り付けた状態の斜視図、（ｂ）はそのベース部１からヘッド部２を取り外す際の状態を示す斜視図である。
【００１６】
ベース部１とヘッド部２とは、図１１（ａ）に示すように、一体的に取り付けられた状態で天井等に取り付けられるようになっており、ベース部１からヘッド部２を取り外すときには、リリースボタン２２を押圧操作すると、図１１（ｂ）に示すように、ベース部１とヘッド部２との間に隙間Ｓができ、この隙間Ｓを更に開いてベース部１からヘッド部２を取り外すようにする。
可動爪操作手段２０としては、リリースボタン２２に代えて、ドライバーなどの治具を挿入する貫通孔のみで形成してもよい。
【図面の簡単な説明】
【００１７】
【図１】本発明に係るセキュリティーセンサの要部をなす回動調整手段の構造を示す図である。
【図２】可動爪の操作を示す縦断面構造図である。
【図３】取付ベースと回転ベースとの位置関係を示す斜視図である。
【図４】取付ベースの構造を示す図である。
【図５】ベース部とヘッド部との着脱手段の詳細を示す縦断面図である。
【図６】可動爪機構の詳細を示す斜視図である。
【図７】セキュリティーセンサの縦断面構造図である。
【図８】ベース部に対してヘッド部を結合、分離させた状態を示す図である。
【図９】ベース部とヘッド部との内面を示す斜視図である。
【図１０】ベース部の平面図である。
【図１１】ベース部に対してヘッド部を結合、分離させた状態を示す図である。
【図１２】従来のセキュリティーセンサの基本構造を示す図である。
【図１３】ヘッド部を回動調整させるセキュリティーセンサの基本構造を示した縦断面構造図である。
【図１４】図１３に示したセキュリティーセンサの要部の基本構造を示す図である。
【符号の説明】
【００１８】
１        ベース部
２        ヘッド部
２ａ      固定爪
２ｂ      受止部
２ｃ      係止爪
３        感知部
１０      可動爪機構
１１      係止爪
１２      受止片
１３      支持軸
１４      持上片
１５      スプリング
１６      固定爪機構
１７      爪係止孔
１８      ガイド
２１      貫通孔
２２      リリースボタン
２５      取付ベース
２６      回転ベース
３０      回動調整手段
３１      その可動爪
３１ｂ    係止爪
３１ｃ、３１ｄ      操作部
３４      ロック溝
４３      成形バネ
【図１】
2005157681.tif 000003
【図２】
2005157681.tif 000004
【図３】
2005157681.tif 000005
【図４】
2005157681.tif 000006
【図５】
2005157681.tif 000007
【図６】
2005157681.tif 000008
【図７】
2005157681.tif 000009
【図８】
2005157681.tif 000010
【図９】
2005157681.tif 000011
【図１０】
2005157681.tif 000012
【図１１】
2005157681.tif 000013
【図１２】
2005157681.tif 000014
【図１３】
2005157681.tif 000015
【図１４】
2005157681.tif 000016